(57)【要約】【課題】堆肥散布機でボックス底部の繰出コンベアの終端部にビータを設け、このビータの回転によって拡散される堆肥を土壌面に耕耘撹拌させる耕耘装置を設ける形態では、この耕耘装置が後方へ大きく突出される形態となって、機体の全長が大きくなり、構成煩雑化となり易い。【解決手段】堆肥収容のボックス１底部の繰出コンベア２の先端部に、この繰出コンベア２から繰出される堆肥を土壌面へ拡散させる拡散位置Ａと、この繰出コンベア２から繰出される堆肥を土壌面へ拡散させながらこの土壌面を耕耘撹拌する撹拌位置Ｂとに昇降可能の撹拌爪３を設けたことを特徴とする堆肥散布機の構成とする。【選択図】        図１
2004305157.tif 000002
【特許請求の範囲】
【請求項１】
堆肥収容のボックス（１）底部の繰出コンベア（２）の先端部に、この繰出コンベア（２）から繰出される堆肥を土壌面へ拡散させる拡散位置（Ａ）と、この繰出コンベア（２）から繰出される堆肥を土壌面へ拡散させながらこの土壌面を耕耘撹拌する撹拌位置（Ｂ）とに昇降可能の撹拌爪（３）を設けたことを特徴とする堆肥散布機。
【発明の詳細な説明】
【０００１】
【発明の属する技術分野】
この発明は、圃場面を走行しながら堆肥乃至厩肥を繰出して土壌面へ拡散撹拌させる堆肥散布機に関する。
【０００２】
【従来の技術】
堆肥収容のボックス底部にコンベアを設け、このコンベアの先端部に正、逆転可能で、昇降可能のビータを設け、このビータの上昇時と下降時で回転方向を切替えて堆肥をボックスへ積込む技術（例えば特許文献１）や、ボックス及びビータを上下動させて堆肥の積込み、繰出散布する技術（例えば特許文献２）、及び、ボックス底部の繰出コンベアで堆肥を繰出しながら土壌面に散布すると共に、この後方の耕耘爪で土壌面を耕耘して散布堆肥を混合撹拌する耕耘装置を設ける技術（例えば特許文献３）等が知られている。
【特許文献１】実開平４−３５２１号公報（第１頁、第４図）
【特許文献２】特開平８−１４０４２０号公報（第１頁、図２）
【特許文献３】特開平６−２３７６０４号公報（第１頁、図４）
【０００３】
【発明が解決しようとする課題】
堆肥散布機でボックス底部の繰出コンベアの終端部にビータを設け、このビータの回転によって拡散される堆肥を土壌面に耕耘撹拌させる耕耘装置を設ける形態では、この耕耘装置が後方へ大きく突出される形態となって、機体の全長が大きくなり、構成煩雑化となり易い。
【０００４】
【課題を解決するための手段】
請求項１に記載の発明は、堆肥収容のボックス１底部の繰出コンベア２の先端部に、この繰出コンベア２から繰出される堆肥を土壌面へ拡散させる拡散位置Ａと、この繰出コンベア２から繰出される堆肥を土壌面へ拡散させながらこの土壌面を耕耘撹拌する撹拌位置Ｂとに昇降可能の撹拌爪３を設けたことを特徴とする堆肥散布機の構成とする。堆肥散布機を進行させながら繰出コンベア２の回転によりボックス１内の堆肥が後方へ繰出される。このとき撹拌爪３を上昇させた拡散位置Ａで回転するときは、繰出コンベア２から繰出される堆肥を撹拌爪３の回転によって拡散させながら土壌面上に散布させることができる。又、撹拌爪３を下降させた撹拌位置Ｂで回転するときは、繰出コンベア２から繰出される堆肥を撹拌爪３の回転によって土壌中に混合しながら耕耘撹拌することができる。
【０００５】
【発明の効果】
請求項１に記載の発明は、撹拌爪３を上下動することにより、繰出堆肥を単に拡散散布する場合と、土壌中に混合しながら撹拌散布する場合とに切替えでき、堆肥の種類や腐植度等によっていずれかの堆肥散布形態に簡単に切替えることができ、構成においては撹拌爪３を拡散位置Ａと撹拌位置Ｂとに昇降する形態であるから簡単であり、いずれの位置Ａ，Ｂにおいても撹拌爪３の回転によって繰出堆肥を回転拡散しながら散布性を良好に維持することができる。
【０００６】
【発明の実施の形態】
この発明の実施例を図面に基づいて説明する。先ず図１〜図３において、堆肥散布機の車体４は左右一対のクローラ５を有して、前部の運転席６下に搭載のエンジン７によって駆動走行できる。車体４上には堆肥乃至厩肥類を収容しうるボックス１を有し、この底面に堆肥を繰出搬送する繰出コンベア２を設け、後端部をボックス１後端の繰出口８下にのぞませて、この繰出コンベア２をエンジン７側から伝動機構９を介し伝動して回転することにより、ボックス１内の堆肥を繰出口８から後方へ繰出すことができる。この繰出コンベア２は前端の入力軸１０と後端の繰出軸１１との間に略水平状に張設される。
この繰出コンベア２の終端下部にはロータリ形態の撹拌爪３を有した撹拌爪軸１２が横方向の支軸１３周りに上下回動可能にして支架される。これら支軸１３の左右両側端には伝動ケース１４とサイドアーム１５が設けられて、これら伝動ケース１４とサイドアーム１５の先端部間にわたって撹拌爪軸１２の両端部が軸受けされて、この伝動ケース１４内の伝動機構を経て支軸１３から撹拌爪軸１２が伝動回転される。又、この支軸１３は前記伝動機構９の途中から伝動ベルト１６を介して伝動回転される。
【０００７】
このような撹拌爪３を有する撹拌爪装置１７は、油圧力等で伸縮されるリフトシリンダ１８を介して該支軸１３の周りに上下回動されて、繰出軸１１の後方位置に上昇する拡散位置Ａと、下降して土壌面Ｃに喰込んで回転する撹拌位置Ｂとに切替えることができる。この撹拌爪３は、これら拡散位置Ａと撹拌位置Ｂのいずれにおいても回転伝動されるもので、拡散位置Ａでは繰出コンベア２から繰出される堆肥を受けて拡散しながら後方土壌面Ｃへ散布させる。又、撹拌位置Ｂではこの繰出コンベア２から繰出される堆肥を受けて土壌面Ｃへ喰込ませながら耕耘土壌と混合撹拌する。
１９は操縦台、２０はステップフロアである。
ボックス１に堆肥を積込むときは、撹拌爪３を上昇させた状態にして逆回転させ、繰出コンベア２を逆回転させながら、車体４を後退させることによって、堆積された堆肥を撹拌爪３で掻き上げながら繰出コンベア２上面に掻込んで、ボックス１内に収容することもできる。
【０００８】
このボックス１内に収容された堆肥を散布するときは、車体４を前進させながら繰出コンベア２を後方へ回転させ、撹拌爪３を正回転させることにより、繰出コンベア２の後端部繰出口８から繰出される堆肥を受けて土壌面Ｃへ散布することができる。例えば、堆肥が十分に腐植されたものである場合は、撹拌爪３を拡散位置Ａに上昇させた状態で回転させて、耕耘作用を行わせない状態で堆肥を掻き出して高位置から掻き出ししながら後方土壌面に拡散落下させる。又、堆肥を土壌面Ｃ内に混合させる状態に撹拌散布するときは、撹拌爪３を撹拌位置Ｂに下降させて、堆肥の拡散と共に耕耘作用をも行わせて、堆肥を土壌中に直接撹拌混入させる。この土壌との撹拌混合によって堆肥の腐植性を促進させる状態とすることができる。
前記繰出コンベア２の後端繰出軸１１部とこの後方の拡散位置Ａの撹拌爪３との間には、繰出爪や繰出羽根板等を有して回転される繰出ロータ２１を軸２２装する（図４）こともできる。この繰出ロータ２１を回転させることによって繰出コンベア２から撹拌爪３への堆肥の繰出受継を円滑に行わせることができる。
【図面の簡単な説明】
【図１】堆肥散布機の側面図。
【図２】その平面図。
【図３】その一部の伝動機構部の側面図。
【図４】その一部別実施例を示す側面図。
【符号の説明】
１    ボックス
２    繰出コンベア
３    撹拌爪
【図１】
2004305157.tif 000003
【図２】
2004305157.tif 000004
【図３】
2004305157.tif 000005
【図４】
2004305157.tif 000006